(57)【要約】【課題】  小型のコネクタ収容穴を有する光コネクタアダプタに適用可能な構造を有する光コネクタ清掃工具を提供する。【解決手段】  フェルール６０同士をアダプタ７１内に収納して接続する光コネクタ７０の前記フェルール６０の接合端面６２を、清掃テープ２の運動により拭き取り清掃する光コネクタ清掃工具１であって、開口部１５を有するケース１０と、前記開口部１５を通してケース１０から突出され前記アダプタ７１内に挿入可能に形成された挿入部４１を有するホルダ部材４０と、前記ホルダ部材４０の突出先端に配置されたヘッド部材２０とを備え、前記ヘッド部材２０は、フェルール６０の接合端面６２に対する前記清掃テープ２の当接面積を確保する先端面２１を有し、前記ホルダ部材４０は、前記挿入部４１の互いに対向する両側の外面に、清掃テープ２が移動する経路４５、４５を有する。【選択図】  図１
2007033549.tif 000002
【特許請求の範囲】
【請求項１】
フェルール（６０）同士をアダプタ（７１）内に収納して接続する光コネクタ（７０）の前記フェルールの接合端面（６２）を、清掃テープ（２）の運動により拭き取り清掃する光コネクタ清掃工具であって、
開口部（１５）を有するケース（１０）と、前記開口部を通して前記ケースから突出され前記アダプタ内に挿入可能に形成された挿入部（４１）を有するホルダ部材（４０）と、前記ホルダ部材の突出先端に配置されたヘッド部材（２０）とを備え、
前記ヘッド部材は、前記フェルールの接合端面に対する前記清掃テープの当接面積を確保する先端面（２１）を有し、前記ホルダ部材は、前記挿入部の互いに対向する両側の外面に、前記清掃テープが移動する経路（４５）を有することを特徴とする光コネクタ清掃工具（１）。
【請求項２】
前記ヘッド部材は、前記ホルダ部材に対して進退可能に支持されていることを特徴とする請求項１に記載の光コネクタ清掃工具。
【請求項３】
前記ケースの内部には、前記清掃テープを巻装した供給リール（３０）と、使用後の清掃テープを巻き取って回収する巻取リール（３１）とが回転可能に装着されていることを特徴とする請求項１又は２に記載の光コネクタ清掃工具。
【請求項４】
前記フェルールは、接合端面上に開口した光ファイバ穴（６３）と、前記光ファイバ穴の両側に設けられたガイドピン穴（６４）とを有し、一対のフェルールが前記ガイドピン穴に挿通したガイドピン（６５）の嵌合によって接続されるものであることを特徴とする請求項１ないし３のいずれかに記載の光コネクタ清掃工具。
【発明の詳細な説明】
【技術分野】
【０００１】
本発明は、フェルール同士をアダプタ内に収納して接続する光コネクタの前記フェルールの接合端面を、清掃テープの運動により拭き取り清掃する、光コネクタ清掃工具に関する。
【背景技術】
【０００２】
周知のように、アダプタやレセプタクルなどのコネクタハウジング内での光コネクタ同士の接続は、各光コネクタの接合端面に臨む光ファイバの端面同士を突き合わせ接合することで実現される。コネクタハウジングに光コネクタを挿入して突き合わせ接続する際、光コネクタの接合端面にゴミや埃、油分などの汚れが付着していると、着脱時の損傷や、伝送損失の増大などの原因になるため、突き合わせ接続に先立って、接合端面を清掃する必要がある。
【０００３】
この種の用途に用いられるクリーナー（以下、清掃工具）として、清掃テープが露出される開口部を先端に有した突出部分を備え、この突出部分を光コネクタアダプタ（光アダプタ）内の空間（コネクタ収容穴）に挿入することにより、前記清掃テープが前記光コネクタアダプタに収容された光コネクタプラグのフェルールの接合端面と向かい合って当接するように配置され、清掃テープの前進送り移動により前記光コネクタプラグの接合端面を拭き取り清掃するようにしたものが提案されている（例えば特許文献１〜３参照）。
【特許文献１】特開２００４−１５１４０１号公報
【特許文献２】特開２００４−１５１４０２号公報
【特許文献３】特開２００４−１５１４０３号公報
【発明の開示】
【発明が解決しようとする課題】
【０００４】
上記特許文献１〜３の実施例として記載された光コネクタ清掃工具は、ＪＩＳ  Ｃ  ５９８２等に規定されたＭＰＯ形光コネクタプラグを内部に収容して接続するアダプタ（ＭＰＯ形アダプタ）に適用されるものである。ここで、ＭＰＯ形光コネクタプラグとは、ＭＴ形光コネクタフェルールの周囲にハウジング及びカップリングを設けたものであり、ＪＩＳでは約１２．６ｍｍの幅を有するものとされている。
【０００５】
これに対して、ＪＩＳ  Ｃ  ５９８１等に規定されるＭＴ形光コネクタフェルールを内部に収容して接続するアダプタについても、光コネクタ清掃工具の開発が望まれている。しかしながら、ＭＴ形光コネクタフェルールは約６．４ｍｍの幅しかなく、ＭＴ形光コネクタフェルール用のアダプタ（ＭＴ形アダプタ）のコネクタ収容穴は、ＭＰＯ形アダプタのコネクタ収容穴と比べて半分程度の幅しかない、至って小さいものである。このため、このような小さいコネクタ収容穴に挿入してフェルールの接合端面を清掃することが可能な構造が必要である。
【０００６】
本発明は、上記事情に鑑みてなされたものであり、小型のコネクタ収容穴を有する光コネクタアダプタに適用可能な構造を有する光コネクタ清掃工具を提供することを課題とする。
【課題を解決するための手段】
【０００７】
前記課題を解決するため、本発明は、フェルール同士をアダプタ内に収納して接続する光コネクタの前記フェルールの接合端面を、清掃テープの運動により拭き取り清掃する光コネクタ清掃工具であって、開口部を有するケースと、前記開口部を通して前記ケースから突出され前記アダプタ内に挿入可能に形成された挿入部を有するホルダ部材と、前記ホルダ部材の突出先端に配置されたヘッド部材とを備え、前記ヘッド部材は、前記フェルールの接合端面に対する前記清掃テープの当接面積を確保する先端面を有し、前記ホルダ部材は、前記挿入部の互いに対向する両側の外面に、前記清掃テープが移動する経路を有することを特徴とする光コネクタ清掃工具を提供する。
前記ヘッド部材は、前記ホルダ部材に対して進退可能に支持されていることが好ましい。
前記ケースの内部には、前記清掃テープを巻装した供給リールと、使用後の清掃テープを巻き取って回収する巻取リールとが回転可能に装着することができる。
前記フェルールは、接合端面上に開口した光ファイバ穴と、前記光ファイバ穴の両側に設けられたガイドピン穴とを有し、一対のフェルールが前記ガイドピン穴に挿通したガイドピンの嵌合によって接続されるものとすることができる。
【発明の効果】
【０００８】
本発明によれば、アダプタ内に挿入可能に形成された挿入部の構造を簡略化して、小型のコネクタ収容穴を有する光コネクタアダプタに適用可能な構造を有する光コネクタ清掃工具を提供することができる。
【発明を実施するための最良の形態】
【０００９】
以下、本発明を実施するための最良の形態について、図面を参照して説明する。
図１及び図２は、本形態例の光コネクタ清掃工具を用いて光コネクタのアダプタ内のフェルールを清掃する様子を説明する図面であり、図３〜図１５は、形態例の光コネクタ清掃工具を説明する図面である。図１６は、ＭＴ形光コネクタフェルールの一例を示す斜視図であり、図１７は、ＭＴ形アダプタの一例を示す断面図である。
図１８〜図２４は、ホルダ部材を示す図面であり、図２５〜図３２は、ヘッド部材を示す図面である。なお、ホルダ部材の図面において、正面図と背面図とは対称である。また、ヘッド部材の正面図と背面図とは対称、平面図と底面図とは同一に表される。
【００１０】
図１６、図１７に示すように、本形態例の光コネクタ清掃工具１が適用される光コネクタ７０は、フェルール６０、６０同士をアダプタ７１内に収納して接続する光コネクタ７０である。ここで、フェルール６０は、ＪＩＳ  Ｃ  ５９８１等に規定されるＭＴ形光コネクタフェルールであり、周知のとおり、フェルール６０の接合端面６２の中心部付近には、所定の個数の光ファイバ穴６３、６３、…が一列に配列されて開口している。
【００１１】
このフェルール６０は、光ファイバ６１同士の接続のため、光ファイバ６１の先端部に取り付けられるものである。具体的には、光ファイバ６１は光ファイバテープ心線であり、その先端部の樹脂被覆を除去してなる裸光ファイバを、フェルール６０の光ファイバ穴６３に挿通することにより、フェルール６０が簡易な光コネクタプラグとして機能する。
なお、光ファイバ６１としては、当該光コネクタフェルールを取り付けて接続することができるものであれば特に限定はなく、例えば単心または多心の光ファイバ心線、この光ファイバ心線をチューブに収納した光ファイバコードなどが採用可能である。
【００１２】
フェルール６０の接合端面６２上、光ファイバ穴６３、６３、…の並び方向の両側には一対のガイドピン穴６４、６４が開口している。一対のフェルール６０、６０を接続するに際して、一方のフェルール６０のガイドピン穴６４にはガイドピン６５を嵌合して接合端面６２から突出させ、他方のフェルール６０のガイドピン穴６４はあけたままとして突き合わせ接続をする。図１７に示すように、一方のフェルール６０のガイドピン６５の先端が他方のフェルール６０のガイドピン穴６４に差し込まれることにより、周知のガイドピン嵌合方式の位置決め機構が機能し、各フェルール６０の光ファイバ穴６３内に挿入された光ファイバ６１の先端面同士を高精度に位置決めして光接続することができる。
【００１３】
図１７に示すように、フェルール６０の後端側には、ゴムやエラストマー等の弾性体からなるブーツ６７が取り付けられている。フェルール６０の後端から引き出された光ファイバ６１は、ブーツ６７内に挿通されることにより、フェルール６０の後端付近での急激な曲げ等が防止されている。さらに、アダプタ７１内に収納されたフェルール６０（図１７の左側のもの）の後端には、ガイドピン６５の後端部６５ａを固定したピンクランプ６６が設けられている。ピンクランプ６６に固定されたガイドピン６５がガイドピン穴６４に差し込まれることにより、フェルール６０とピンクランプ６６とが一体化されている。
【００１４】
図１７に示す光コネクタ７０のアダプタ７１は、ＭＴ形光コネクタフェルール用のアダプタ（ＭＴ形アダプタ）の一例を示すものである。ここで例示したアダプタ７１は、一方のフェルール６０（図１７の右側のもの）が挿入されるべく開口したコネクタ挿入口７２と、他方のフェルール６０（図１７の左側のもの）が収納されているコネクタ収容穴７３と、ピンクランプ６６に係合して他方のフェルール６０を後端側から係止する係止爪７４と、ボルト等を介してアダプタ７１を不図示の取付板等に取り付けるための取付穴７６が設けられたフランジ部７５とを有する。
【００１５】
このアダプタ７１のコネクタ挿入口７２に一方のフェルール６０を挿入すると、コネクタ収容穴７３内で両フェルール６０、６０の接合端面６２を突き合わせ、光ファイバ６１を光接続することができる。また、一方のフェルール６０を逆方向に引き抜くと、両フェルール６０、６０の接続を解除することができる。
なお、本発明でいうアダプタ７１とは、両側のフェルール６０、６０を位置決めして接続固定する中継器具を総称する。従って、アダプタ７１に接続される両側のフェルール６０は、互いに同形状のものに限定されることはない。形状が異なるフェルールを接続可能であっても、アダプタと称する。
【００１６】
本形態例の光コネクタ清掃工具１は、光コネクタ７０のアダプタ７１内に収容されたフェルール６０の接合端面６２を、清掃テープ２の運動により拭き取り清掃する光コネクタ清掃工具であって、図３及び図１２に示すように、開口部１５を有するケース１０と、開口部１５を通してケース１０から突出したホルダ部材４０と、ホルダ部材４０の突出先端に配置されたヘッド部材２０とを備える。
【００１７】
図７に示すように、ケース１０は、第１のケース半体１１及び第２のケース半体１２による二つ割り構造になっている。このケース１０は、例えば、両ケース半体１１、１２の周縁部に適宜形成された嵌合ピン１８とピン穴との嵌合（例えば図１４参照）により、一体化されている。ケース１０の各ケース半体１１、１２は、ポリスチレン（ＰＳ）やポリオキシメチレン（ＰＯＭ、ポリアセタール）などのプラスチック等から構成することができる。
【００１８】
図３及び図１５に示すように、ケース１０は、テープ送り機構３を収納した本体部１３と、この本体部１３から先細り状に突出した突出筒部１４とを有する。開口部１５は、突出筒部１４の突出先端に開口している。
【００１９】
図１５に示すように、本体部１３の内部には、清掃テープ２を送り移動するテープ送り機構３として、清掃テープ２を巻装した供給リール３０と、使用後の清掃テープ２を巻き取って回収する巻取リール３１と、供給リール３０が回転可能に装着された供給リール支持軸３２と、巻取リール３１が回転可能に装着された巻取リール支持軸３３と、清掃テープ２の送り移動を操作する操作ダイヤル３４を備えている。供給リール３０、巻取リール３１、操作ダイヤル３４は、例えば、ポリスチレン（ＰＳ）やポリオキシメチレン（ＰＯＭ、ポリアセタール）などのプラスチックから金型により成形することによって製造することができる。
【００２０】
清掃テープ２は、特に限定されるものではなく、公知の適当な清浄布（不織布や織布）をテープ状に加工したものを採用することができる。例えば、ポリエステルやナイロンなどの極細の繊維からなるものなどが例示される。また、構造も、幅が概略一定である一般的なものである。
【００２１】
供給リール支持軸３２及び巻取リール支持軸３３は、例えば、一方のケース半体１１と一体に形成したものとすることができる。そして、各支持軸３２，３３の先端を、他方のケース半体１２に設けられた嵌合穴（図示略）に挿入することにより、両ケース半体１１，１２の間で、供給リール３０及び巻取リール３１を脱落することなく、保持することができるようになっている。
【００２２】
図１５に示すように、突出筒部１４の内部には、補強リブを兼ねた隔壁部１４ａが設けられている。この隔壁部１４ａによれば、供給リール３０からヘッド部材２０に向かう、清浄であるべき清掃テープ２の上流側の部分２ｂ（以下「上流部」ということがある）の経路１４ｂと、ヘッド部材２０から巻取リール３１に向かう、拭き取り清掃により汚染された清掃テープ２の下流側の部分２ｃ（以下「下流部」ということがある）の経路１４ｃとが仕切られるので、清掃テープ２の汚れの移行が抑制される効果が得られる。
【００２３】
ケース１０の内部には、清掃テープ２を案内して送り方向を変更させるためのピン状のテープガイド３５、３６が突設形成されている。一方のテープガイド３５は、供給リール３０から供給される清掃テープ２が突出筒部１４内の上流部２ｂ側の経路１４ｂを通る位置に設けられており、他方のテープガイド３５は、巻取リール３１に巻き取られる清掃テープ２が突出筒部１４内の下流部２ｃ側の経路１４ｃを通る位置に設けられている。
【００２４】
図７（ａ）に示すように、操作ダイヤル３４の一部は、第１のケース半体１１に切欠状に設けられた窓１１ａからケース１０の外に露出されている。操作ダイヤル３４は、巻取リール３１と一体に連結されており、ともに巻取リール支持軸３３に支持されている。操作ダイヤル３４を手指などで操作して、所定の方向に回転させると、巻取リール３１が一緒に回転して、清掃テープ２を巻き取るとともに、供給リール３０から未使用の清掃テープ２が繰り出され、送り移動される。操作ダイヤル３４の一部がケース１０の側面に開口した窓１１ａから露出されているので、光コネクタ清掃工具１を片手で持ったときでも、光コネクタ清掃工具１を持った側の手の指で操作ダイヤル３４を容易に操作することができる。さらに、操作ダイヤル３４の回転方向を示す回転方向指示マーク１２ａをケース１０の側面に形成することにより、作業者が操作ダイヤル３４の回転方向を容易に理解することができる。
【００２５】
操作ダイヤル３４と巻取リール３１との連結は、例えば、操作ダイヤル３４からピン（図示略）を突設するとともに、巻取リール３１に前記ピンと嵌合する嵌合穴を設ける方式が例示できる。操作ダイヤル３４の逆回転を防止するため、例えば本出願人による特開２００５−９９４５１号公報に記載の逆回転防止機構、すなわち、係止爪を有するラチェットアームを操作ダイヤル３４と一体に形成するとともに、前記ラチェットアームの係止爪と係合するラチェット歯を有する環状壁部を巻取リール支持軸３３と同心にてケース半体１１側に形成することも好ましい。また、巻取リール３１に回転抵抗を付与するため、例えば特開２００５−９９４５１号公報に記載の回転抵抗付与機構、すなわち、巻取リール支持軸３３の周囲に周期的に凹溝を形成するとともに、前記凹溝と係合可能な突起を先端に有する弾性変形可能なラチェットアームを巻取リール３１の巻芯部に設けることも好ましい。これら逆回転防止機構及び回転抵抗付与機構を設けることにより、清掃テープ２の送り移動に対して一定の引張り力が必要となり、清掃テープ２にバックテンションが付与される結果、清掃テープ２のたるみを抑制することができる。
【００２６】
図１２及び図１４に示すように、ケース１０の突出筒部１４の先端には、ヘッド部材２０を保持するホルダ部材４０が固定されている。このホルダ部材４０の先端側は、図１に示すようにアダプタ７１のコネクタ挿入口７２を通してコネクタ収容穴７３内に挿入可能に形成された挿入部４１となっている。ヘッド部材２０及びホルダ部材４０は、特に限定されるものではないが、例えば、ポリオキシメチレン（ＰＯＭ、ポリアセタール）、ポリカーボネート（ＰＣ）、ポリスチレン（ＰＳ）などのプラスチックの成形によって容易に製造可能である。
【００２７】
ヘッド部材２０は、図２５〜図３０に示すように略直方体状に形成されており、フェルール６０の接合端面６２に対する清掃テープ２の当接面積を確保する先端面２１と、先端面２１と同じ幅を有して互いに対向する上下面２２、２２と、先端面２１に対向する後端面２３と、先端面２１と同じ高さを有して互いに対向する一対の側面２７、２７とを有する。上下面２２、２２の後端側には係合突起２４、２４が突設されている。また、後端面２３から先端側に向けてバネ穴２５及び軸穴２６が形成されている。バネ穴２５と軸穴２６とは互いに同心であり、軸穴２６はバネ穴２５より小径である。
【００２８】
図１４に示すように、清掃テープ２がヘッド部材２０の先端面２１上に位置する部分は、フェルール６０の接合端面６２に当接する当接部２ａである。この当接部２ａは、清掃テープ２において固定した部分ではなく、清掃テープ２の送り移動により、清掃テープ２の長手方向に沿って交替してゆく性質のものである。
【００２９】
挿入部４１は、図１９に示すように、ヘッド部材２０が挿入されて保持される保持穴４１ａと、保持穴４１ａの上下両側に設けられる一対の保持片４２、４３と、保持穴４１ａの左右両側に形成されるガイドピン溝４４、４４と、各保持片４２、４３の外面に設けられたテープ溝４５、４５と、下側のテープ溝４５上に突設された一対の押さえ片４６、４６とを有する。押さえ片４６、４６の間は、押さえ片４６、４６の裏側のテープ溝４５に清掃テープ２を差し込むためのスリット４７が形成されている。図１０及び図１１に示すように、清掃テープ２の幅を確保したテープ溝４５、４５を挿入部４１の上下に設けることにより、清掃テープ２の左右の位置ずれを防止することができる。
【００３０】
挿入部４１の後方には、コネクタ収容穴７３に対するホルダ部材４０の挿入深さを制御するための一対の突き当て凸部５８、５８が突設されている。この突き当て凸部５８、５８は、図２に示すように、アダプタ７１のコネクタ挿入口７２の周縁７２ａに突き当たることにより、ホルダ部材４０の挿入が深くなりすぎることを防止するためのものである。突き当て凸部５８、５８は、ホルダ部材４０をケース１０に固定したとき、開口部１５の両側に突出した突出片１５ａ、１５ａの前方に配置される。
【００３１】
さらにホルダ部材４０は、図１４に示すように、シャフト５７を挿通するための軸穴５６を有する柱状部５１を挿入部４１の後方に有する。シャフト５７の一端は、ヘッド部材２０の軸穴２６に固定されており、シャフト５７の他端は、ホルダ部材４０の柱状部５１の軸穴５６内に挿通されている。シャフト５７と柱状部５１側の軸穴５６との間は、シャフト５７が軸穴５６に沿ってスライド移動が可能なように保持されている。シャフト５７としては、特に限定されるものではないが、例えばステンレス鋼などを精密加工したものが好適である。
【００３２】
ホルダ部材４０の柱状部５１の軸穴５６の先端側には、軸穴５６と同心で、かつ径が軸穴５６の径より大きいバネ穴５４が形成されている。ヘッド部材２０のバネ穴２５とホルダ部材４０の柱状部５１のバネ穴５４は、互いに対向する位置に配置されており、内部に圧縮バネ５５が装着されている。圧縮バネ５５は、ホルダ部材４０のバネ穴５４の底面に反力をとって、ヘッド部材２０を前方に付勢する。ヘッド部材２０の係合突起２４、２４が挿入部４１の保持片４２、４３の後端面に係合するので、挿入部４１の保持穴４１ａからのヘッド部材２０の抜けが防止される。なお、ホルダ部材４０にヘッド部材２０を装着するには、ホルダ部材４０の先端側（図１４の左側）からヘッド部材２０を保持穴４１ａに挿入し、ヘッド部材２０の係合突起２４、２４が挿入部４１の保持片４２、４３の後端面に係合するまで押し込めばよい。圧縮バネ５５としては、特に限定されるものではないが、例えばＳＷＰＢ等の鋼線からなるコイルバネを用いることができる。
【００３３】
軸穴５６を有する柱状部５１、圧縮バネ５５及びシャフト５７により、ヘッド部材２０をホルダ部材４０に対して進退可能に支持するヘッド部材駆動部５０が構成される。すなわち、ヘッド部材２０の先端面２１側に押圧力が作用すると、圧縮バネ５５が圧縮されるとともにシャフト５７が後方（図１４の右側）にスライド移動して、ヘッド部材２０の先端面２１が後退する。また、ヘッド部材２０の先端面２１を押圧した後に該押圧力を解除すると、圧縮バネ５５が復元するとともにシャフト５７が前方（図１４の左側）にスライド移動して、ヘッド部材２０の先端面２１が前進する。
【００３４】
柱状部５１の上下には、図１４に示すように、ケース１０の突出筒部１４の内面に形成された嵌合溝１６と嵌合する嵌合凸部５２が突設されている。また、突出筒部１４の内面には、図１２、図１３及び図１４に示すように、開口部１５の両側に突設された端壁１７ａ及び端壁１７ａの上下両端から後方に延在する一対の側壁１７ｂ、１７ｂによって囲まれてなる差込溝１７が各ケース半体１１、１２に形成されており、柱状部５１の両側には、前記差込溝１７に嵌合する一対の張出リブ５３、５３が突設されている。
【００３５】
すなわち、両ケース半体１１、１２を閉じ合わせる際に、ホルダ部材４０の嵌合凸部５２及び張出リブ５３を、それぞれ突出筒部１４の嵌合溝１６及び差込溝１７に嵌合させると、ホルダ部材４０がケース１０から外れることなく固定される。差込溝１７の端壁１７ａ及び側壁１７ｂ、１７ｂを張出リブ５３の周囲に嵌合させることにより、ホルダ部材４０の位置及び姿勢が傾くことを確実に防止できる。このようにホルダ部材４０を固定すると、柱状部５１が突出筒部１４の内面に接することなく開口部１５を挿通するとともに、柱状部５１の先端に設けられた挿入部４１は開口部１５から突出してケース１０の外側に配置される。
【００３６】
図１３及び図１４において、清掃テープ２の前記上流部２ｂは、ホルダ部材４０の柱状部５１の下側を通され、清掃テープ２の前記下流部２ｃは、ホルダ部材４０の柱状部５１の上側を通される。また、図１３及び図２３に示すように、柱状部５１の上下それぞれの側において、嵌合凸部５２の間には、清掃テープ２の幅を確保したテープ溝５２ａが設けられているため、嵌合凸部５２が清掃テープ２の走行の妨げとなることはない。
【００３７】
本形態例の光コネクタ清掃工具１の使用方法の一例として、光コネクタ７０のアダプタ７１内に収容されたフェルール６０の接合端面６２を清掃する手順の一例を説明する。
図１及び図２に示すように、光コネクタ清掃工具１のホルダ部材４０の挿入部４１をアダプタ７１のコネクタ挿入口７２から挿入すると、挿入部４１のガイドピン溝４４にフェルール６０のガイドピン６５が挿入されることにより、フェルール６０に対してホルダ部材４０の挿入部４１が位置決めされ、ヘッド部材２０の先端面２１がフェルール６０の接合端面６２に向かい合う。
【００３８】
図２（ａ）に示すように、ヘッド部材２０の先端面２１上に位置する清掃テープ２の当接部２ａがフェルール６０の接合端面６２に当接した後、なおも押し込みを継続して、図２（ｂ）に示すように、突き当て凸部５８、５８がアダプタ７１のコネクタ挿入口７２の周縁７２ａに突き当たるまでホルダ部材４０を挿入する。これにより、圧縮バネ５５に所定の弾発力が生じ、ヘッド部材２０の先端面２１が清掃テープ２の当接部２ａをフェルール６０の接合端面６２に向かって適度な押圧力にて押圧することができる。
【００３９】
操作ダイヤル３４を所定量回転させると、巻取リール３１の回転と連動して清掃テープ２が運動し、この清掃テープ２によりフェルール６０の接合端面６２が拭き取り清掃される。この結果、接合端面６２に付着しているゴミや埃、油分などの汚れが、清掃テープ２により確実に拭き取られる。拭き取られた汚れは、清掃テープ２に付着して巻取リール３１に巻き取られる方向に移動するので、使用後の清掃テープ（下流部）２ｃ上の汚れが接合端面６２に戻ることが防止される。したがって、フェルール６０の接合端面６２を極めて清浄に清掃することができる。清掃後、光コネクタ清掃工具１を、挿入したときと反対の方向（離脱方向）に引くことにより、容易に引き抜くことができる。
【００４０】
以上説明したように、本形態例の光コネクタ清掃工具１によれば、ケース１０の開口部１５を通して突出したホルダ部材４０の突出先端にヘッド部材２０を配置し、清掃テープ２が移動する経路４５、４５をホルダ部材４０の挿入部４１の互いに対向する両側の外面に設けたので、アダプタ７１のコネクタ収容穴７３に挿入される挿入部４１の構造を簡単にして、小型のコネクタ収容穴を有する光コネクタのアダプタに適用することが可能となる。
【００４１】
ヘッド部材２０がホルダ部材４０に対して進退可能に支持された構造とすることにより、フェルール６０の接合端面６２に対する清掃テープ２の押圧力を適度な範囲に調整することが容易である。特に、突き当て凸部５８、５８がアダプタ７１のコネクタ挿入口７２の周縁７２ａに突き当たるまで挿入すればよいから、作業者はヘッド部材２０の挿入深さを気にする必要がなく、安全かつ確実な清掃作業が可能となる。
【００４２】
ケース１０の内部には、清掃テープ２を巻装した供給リール３０と、使用後の清掃テープ２を巻き取って回収する巻取リール３１とが回転可能に装着されているので、充分な長さの清掃テープ２をケース１０内にコンパクトに収容することができ、多数のフェルール６０を次々と清掃する場合に有利である。
【００４３】
以上、本発明を好適な実施の形態に基づいて説明してきたが、本発明はこの実施の形態のみに限定されるものではなく本発明の要旨を逸脱しない範囲で種々の改変が可能である。例えば、清掃テープを送り移動するテープ送り機構は、手動により駆動されるものに限定されず、モータやバネなどの動力により駆動されるようにしたものでもよい。また、手動と動力による駆動とを、併用したり、必要に応じて動力源を切り換えられるようにしてもよい。
【産業上の利用可能性】
【００４４】
本発明は、アダプタ内のＭＴ形光コネクタフェルールの接合端面を清掃するために利用することができる。
【図面の簡単な説明】
【００４５】
【図１】本発明の実施例に係る光コネクタ清掃工具を用いて光コネクタのアダプタ内のフェルールを清掃する様子を説明する要部拡大断面図である。
【図２】（ａ）、（ｂ）  本発明の実施例に係る光コネクタ清掃工具の清掃テープを光コネクタアダプタ内のフェルールに当接させるときのヘッド部材の動きを説明する要部拡大断面図である。
【図３】本発明の実施例に係る光コネクタ清掃工具を示す正面図である。
【図４】本発明の実施例に係る光コネクタ清掃工具を示す背面図である。
【図５】本発明の実施例に係る光コネクタ清掃工具を示す左側面図である。
【図６】本発明の実施例に係る光コネクタ清掃工具を示す右側面図である。
【図７】本発明の実施例に係る光コネクタ清掃工具を示す（ａ）平面図、及び（ｂ）底面図である。
【図８】図３のＡ部の拡大図である。
【図９】図５のＢ部の拡大図である。
【図１０】図７（ａ）のＣ部の拡大図である。
【図１１】図７（ｂ）のＤ部の拡大図である。
【図１２】図８のＥ−Ｅ線に沿う断面図である。
【図１３】図８のＦ−Ｆ線に沿う断面図である。
【図１４】（ａ）は図９のＧ−Ｇ線に沿う断面図、（ｂ）は図９のＨ−Ｈ線に沿う断面図である。
【図１５】本発明の実施例に係る光コネクタ清掃工具の内部を示す概略構成図である。
【図１６】ＭＴ形光コネクタフェルールの一例を示す斜視図である。
【図１７】ＭＴ形アダプタの一例を示す断面図である。
【図１８】本発明の実施例におけるホルダ部材の正面図である。
【図１９】本発明の実施例におけるホルダ部材の左側面図である。
【図２０】本発明の実施例におけるホルダ部材の右側面図である。
【図２１】本発明の実施例におけるホルダ部材の平面図である。
【図２２】本発明の実施例におけるホルダ部材の底面図である。
【図２３】図１８のＩ−Ｉ線に沿う断面図である。
【図２４】図１９のＪ−Ｊ線に沿う断面図である。
【図２５】本発明の実施例におけるヘッド部材の正面図である。
【図２６】本発明の実施例におけるヘッド部材の背面図である。
【図２７】本発明の実施例におけるヘッド部材の左側面図である。
【図２８】本発明の実施例におけるヘッド部材の右側面図である。
【図２９】本発明の実施例におけるヘッド部材の平面図である。
【図３０】本発明の実施例におけるヘッド部材の底面図である。
【図３１】図２５のＫ−Ｋ線に沿う断面図である。
【図３２】図２９のＬ−Ｌ線に沿う断面図である。
【符号の説明】
【００４６】
１…光コネクタ清掃工具、２…清掃テープ、１０…ケース、１５…開口部、２０…ヘッド部材、２１…先端面、３０…供給リール、３１…巻取リール、４０…ホルダ部材、４１…挿入部、４５…テープ溝（経路）、６０…フェルール、６２…接合端面、６３…光ファイバ穴、６４…ガイドピン穴、６５…ガイドピン、７０…光コネクタ、７１…アダプタ。
【図１】
2007033549.tif 000003
【図２】
2007033549.tif 000004
【図３】
2007033549.tif 000005
【図４】
2007033549.tif 000006
【図５】
2007033549.tif 000007
【図６】
2007033549.tif 000008
【図７】
2007033549.tif 000009
【図８】
2007033549.tif 000010
【図９】
2007033549.tif 000011
【図１０】
2007033549.tif 000012
【図１１】
2007033549.tif 000013
【図１２】
2007033549.tif 000014
【図１３】
2007033549.tif 000015
【図１４】
2007033549.tif 000016
【図１５】
2007033549.tif 000017
【図１６】
2007033549.tif 000018
【図１７】
2007033549.tif 000019
【図１８】
2007033549.tif 000020
【図１９】
2007033549.tif 000021
【図２０】
2007033549.tif 000022
【図２１】
2007033549.tif 000023
【図２２】
2007033549.tif 000024
【図２３】
2007033549.tif 000025
【図２４】
2007033549.tif 000026
【図２５】
2007033549.tif 000027
【図２６】
2007033549.tif 000028
【図２７】
2007033549.tif 000029
【図２８】
2007033549.tif 000030
【図２９】
2007033549.tif 000031
【図３０】
2007033549.tif 000032
【図３１】
2007033549.tif 000033
【図３２】
2007033549.tif 000034